(57)【特許請求の範囲】
【請求項１】
切替レバーの操作により吐水管側とシャワーヘッド側への湯水の同時止水及び流路切替えを行う流路切替機能付水栓において、湯水の止水位置から吐水管側又はシャワーヘッド側への流路切替えを、切替部材と連繋した切替レバーの一方への傾動と他方への回動の、それぞれ異なる操作で行い、切替レバーは止水位置から一方への傾動操作による吐水時に回動不能とし、止水位置から他方への回動操作による吐水時に、傾動不能としたことを特徴とする流路切替機能付水栓。
【請求項２】
前記切替部材は湯水入口，吐水管用出口，シャワー用出口を貫通して形成した固定板と、該固定板に重ね合わせて湯水入口を吐水管用出口又はシャワー用出口のどちらか一方と連通させる連通孔を形成した可動板とからなることを特徴とする請求項１記載の流路切替機能付水栓。
【発明の詳細な説明】
【０００１】
【発明の属する技術分野】
本発明は、切替レバーを同時止水位置から吐水管側又はシャワーヘッド側の何れか一方へ操作して湯水を供給することのできる流路切替機能付水栓に関するものである。
【０００２】
【従来の技術】
従来浴室等で使用される水栓で、切替レバーの同時止水位置からの吐水操作で吐水管側又はシャワーヘッド側へ湯水の流路を切替可能としたものに、特公平５−３６６７５号公報の図１及び図３（本願図面の図１２（ａ），（ｂ））のものがある。この図１２（ａ），（ｂ）について簡単に説明すると、水栓４０は水流路４２，湯流路４３より供給される水，湯を、水用，湯用の各ハンドル４４，４４ａにより操作し混合比率を調節する本体４１と、該本体４１で調節された湯水の吐水先を吐水管５０側，又はシャワーホース５１先端のシャワーヘッド５２側に切替える切替弁部４５とからなり、該切替弁部４５にはセラミックスで構成された３枚の円盤状の弁体４６，４７，４８が設けられ、第１固定弁体４６と第２固定弁体４７の間に設けられた可動弁体４８には切替レバー４９が連繋しており、この切替レバー４９を中央の止水位置から左右にスライドさせることで、吐水管５０側又はシャワーヘッド５２側への流路の切替え，及び流量調節を行うものである。
【０００３】
上記の水栓は、止水位置から吐水管又はシャワーヘッドへの流路の切替えは、切替レバーの水平方向のみの操作で可能であるが、止水位置が操作範囲の中間であるため、吐水管又はシャワーヘッドの何れかから湯水を吐水中に止水位置に向けて切替レバーを勢いよく操作してしまうと、使用者の意図する中間の止水位置でうまく停止させることができずに通り越してしまい、例えばいきなりシャワーヘッドから熱湯を吐水させてしまって火傷をしたり、衣服を水浸しにしてしまう恐れがあり、切替レバーの慎重な操作が要求され使い勝手が悪く、誰にでも安心して使用することができるものではなかった。
【０００４】
【発明が解決しようとする課題】
本発明が解決しようとする課題は、切替レバーの操作により吐水管側とシャワーヘッド側への湯水の同時止水及び流路切替えを行う流路切替機能付水栓において、切替レバーの操作性及び安全性の向上を図ることである。
【０００５】
【課題を解決するための手段】
本発明は請求項１では、切替レバーの操作により吐水管側とシャワーヘッド側への湯水の同時止水及び流路切替えを行う流路切替機能付水栓において、湯水の止水位置から吐水管側又はシャワーヘッド側への流路切替えを、切替部材と連繋した切替レバーの一方への傾動と他方への回動の、それぞれ異なる操作で行い、切替レバーは止水位置から一方への傾動操作による吐水時に回動不能とし、止水位置から他方への回動操作による吐水時に、傾動不能としたものである。
【０００６】
請求項２では、前記切替部材は湯水入口，吐水管用出口，シャワー用出口を貫通して形成した固定板と、該固定板に重ね合わせて湯水入口を吐水管用出口又はシャワー用出口のどちらか一方と連通させる連通孔を形成した可動板とからなるものである。
【０００９】
【発明の実施の形態】
以下、本発明の実施の形態を図に基づいて詳細に説明する。
浴室等の壁面に装着される水栓Ａの本体１は図１に示すように横長に形成され、給水源に連通する水供給管２から水が、給湯源に連通する湯供給管３から湯が供給され、正面から見て右側に湯水の温度を調節する温調ハンドル４が取付けられ、本体１の中央正面側に、吐水管３０又はシャワーホース３１先端に取付けたシャワーヘッド３２への湯水の流路切替えと流量調節を行う切替レバー５、及び該切替レバー５と連繋した切替部材１１を装着している。
【００１０】
図２及び図３に示すように、前記切替部材１１は上ケース７と下ケース１０とを上下に嵌合した円筒状のカートリッジケース６に収容され、セラミックス又は樹脂を素材とする成型により円盤型を呈する一対の固定板１２及び可動板１６からなり、該固定板１２は図４に示すように、湯水入口１３，吐水管用出口１４，及びシャワー用出口１５を両面に貫通して形成し、湯水入口１３は本体１の湯水が混合された混合室に、吐水管用出口１４は吐水管３０に、シャワー用出口１５はシャワーホース３１にそれぞれ連通するように対応させてある。
【００１１】
前記可動板１６は図５に示すように、固定板１２と比較してひと回り外径が小さく、連通孔１７が両面に貫通して形成され、固定板１２と上下に重ね合わせて摺動させることで、連通孔１７は固定板１２の湯水入口１３を吐水管用出口１４又はシャワー用出口１５のどちらか一方と連通させ、湯水を吐水管３０又はシャワーヘッド３２へ供給することができる。なお、固定板の湯水入口，吐水管用出口，シャワー用出口，及び可動板の連通孔の形状又は位置等は特に限定されるものではない。
【００１２】
図２及び図３に示すように、前記可動板１６の連通孔１７には上部からパッキン１８を介して円盤型のスライダー１９が水密的に嵌合され、該スライダー１９の上面で中心より偏心した位置には、上部を開口した軸受部２０が形成され、図６に示すように該軸受部２０から水平方向に細長のストッパー２１を上部に突出して形成し、該ストッパー２１の先端部２１ａはスライダー１９の外周面から僅かに突出させている。
【００１３】
前記スライダー１９の上部に嵌合された円筒状のスライダーガイド２２は、中央の垂直方向に開口した挿通孔２５内で、水平方向に穿設した軸孔に挿通したピン２６を支点に棒状のレバー２７を揺動自在に枢支し、該レバー２７の上部はスライダーガイド２２から突出して切替レバー５を固定しており、この突出したレバー２７の略中間から両側に鍔部２８を水平方向に突出させて形成し、下端の係合部２９は前記スライダ−１９の軸受部２０に係合している。
【００１４】
また、スライダーガイド２２は図７に示すように、側部外周面を円弧状に切り欠いて形成された複数個の溝部２３，２３，２３と、該溝部２３，２３，２３の間で中心から対称位置に向かい合わせて形成された一対の係止突起２４，２４を備えている。
【００１５】
前記カートリッジケース６の上ケース７は、下ケース１０と上下に嵌合させて内部に切替部材１１，スライダー１９及びスライダーガイド２２を収容し、図８に示すように外側面には横孔８を穿設し、切替レバー５の傾動操作で前記スライダー１９が図９（ａ）から（ｂ）に移動してストッパー２１の先端部２１ａが横孔８に挿入された状態では、スライダー１９及び可動板１６は回転を防止され、切替レバー５を回動方向へ操作することができない。また、上ケース７の内周には前記スライダーガイド２２の係止突起２４が回転時に当接して切替レバー５の回転角度を制限することのできる円弧状の係止部９，９を一対形成し、図１０（ａ），（ｂ）に示すように前記スライダーガイド２２の各係止突起２４，２４は、上ケース７の両係止部９，９の間に形成される溝孔９ａ，９ａ上の範囲でのみ回転可能である。
【００１６】
図１１は切替レバー５を操作した場合の切替部材１１の位置関係を示し、切替レバー５が水栓Ａの正面から見て中央に位置するとき、図１１（ａ）に示すように固定板１２の湯水入口１３と可動板１６の連通孔１７は連通していないので、湯水は吐水管３０及びシャワーヘッド３２の何れからも吐水されない止水状態である。
【００１７】
次に図１１（ａ）の止水状態から図１の矢印Ｐに示すように、切替レバー５を本体１から手前方向へ傾動操作すると、図１１（ｂ）に示すように可動板１６が固定板１２に対し直線方向に移動し、可動板１６の連通孔１７は固定板１２の湯水入口１３及び吐水管用出口１４と連通し、該吐水管用出口１４と連通している吐水管３０から湯水を吐水することができる。この場合切替レバー５を止水位置から手前方向へ操作するほど、可動板１６の連通孔１７に対する固定板１２の湯水入口１３及び吐水管用出口１４の重なり面積が増加し、吐水管３０からの吐水量を増加させることができる。
【００１８】
また切替レバー５と可動板１６の間で連繋しているスライダー１９は、カートリッジケース６の内部で図９(ａ)から（ｂ）に移動し、（ｂ）ではストッパー２１の先端部２１ａが上ケース７の横孔８に挿入され、スライダー１９は回転ができなくなるので、この状態からは切替レバー５を回転させることはできない。即ち、切替レバー５が吐水管３０からの吐水位置にある場合に、流路を切替えシャワーヘッド３２から吐水しようとする際に切替レバー５を回転させることができず、切替レバー５を奥に向けて傾動操作して図９（ａ）に示す止水位置にいったん戻す必要がある。
【００１９】
次に切替レバー５を正面の止水位置から図１の矢印Ｑに示すように左方向へ回動操作すると、図９（ｃ）及び図１１（ｃ）に示すように可動板１６が固定板１２に対し回転方向に移動し、可動板１６の連通孔１７は固定板１２の湯水入口１３及びシャワー用出口１５と連通し、該シャワー用出口１５と連通しているシャワーホース３１を介してシャワーヘッド３２から湯水を吐水することができる。この場合切替レバー５を止水位置から左方向へ操作するほど、可動板１６の連通孔１７に対する固定板１２の湯水入口１３及びシャワー用出口１５の重なり面積が増加し、シャワーヘッド３２からの吐水量を増加させることができる。そして、吐水管３０から吐水するため吐水位置から切替レバー５を傾動操作しようとすると、図９（ｃ）に示すようにスライダー１９はストッパー２１の先端２１ａが上ケース７の内周面に当接してしまうので、傾動させることができず、吐水管３０からの吐水に切替えるにはいったん切替レバー５を右方向へ回転操作して図９（ａ）に示す止水位置に戻す必要がある。
【００２０】
また切替レバー５と可動板１６の間で連繋しているスライダーガイド２２は、図１０（ａ）に示す止水位置では係止突起２４が上ケース８の係止部９に当接しているため時計回り方向にのみ回転可能であり、切替レバー５を正面の止水位置から左方向へ操作して、図１０（ｂ）に示すように係止突起２４がもう一方の係止部９に当接したところで回転が停止される。
【００２１】
以上のように本発明の水栓は、湯水を吐水管から吐水する場合とシャワーヘッドから吐水する場合では、切替レバーの操作に加わる力の方向が異なる。即ち、切替レバーの傾動操作では吐水管からの湯水の吐水，止水を切替え、切替レバーの回動方向の操作ではシャワーヘッドからの吐水、止水を切替え、切替レバーを止水方向へ操作すれば必ず止水位置でいったん止まるので、誤操作する心配がない。なお、本実施例では切替レバーの傾動操作で吐水管からの吐水とし、切替レバーの回動操作でシャワーヘッドからの吐水としているが、逆に切替レバーの傾動操作でシャワーヘッドからの吐水とし、切替レバーの回動操作で吐水管からの吐水を行うようにしてもよい。また、切替レバーの傾動操作は止水位置から奥への操作で吐水となるようにしてもよく、切替レバーの回動操作は止水位置から右方向への操作で吐水となるようにしてもよい。
【００２２】
【発明の効果】
本発明では、切替レバーの操作により吐水管側とシャワーヘッド側への湯水の同時止水及び流路切替えを行う流路切替機能付水栓において、湯水の止水位置から吐水管側又はシャワーヘッド側への流路切替えを、切替レバーの止水位置からの傾動と回動のそれぞれ異なる操作で行い、切替レバーは止水位置から一方への傾動操作による吐水時に回動不能とし、止水位置から他方への回動操作による吐水時に、傾動不能としたので、湯水の吐水状態から切替レバーを止水方向へ操作すると必ず止水位置でいったん止まり、止水操作を迅速かつ確実に行うことができる。
【００２３】
また、吐水管又はシャワーヘッドからの吐水状態から切替レバーを止水方向へ操作すると必ずいったん止水状態となり、従来のように切替レバーを操作すると止水位置を通りこして吐水流路が切替り、使用者の意図に反して湯水が吐水されてしまう恐れがなく、安全に使用することができる。
【００２４】
さらに、切替レバーは止水位置から傾動操作による吐水時に、左右への回動不能とし、止水位置から回動操作による吐水時に、上下への傾動不能としたので、切替レバーをいったん止水位置へ操作しないと吐水方向を切替えることができず、切替レバーを無意識に操作して吐水流路が切替ることがなく、誤吐水を確実に防止することができる。
【図面の簡単な説明】
【図１】流路切替機能付水栓の斜視図である。
【図２】切替部材を収容したカートリッジケースの止水状態の断面図である。
【図３】切替部材を収容したカートリッジケースの吐水管側からの吐水状態の断面図である。
【図４】固定板の平面図である。
【図５】可動板の平面図である。
【図６】スライダーの平面図である。
【図７】スライダーガイドの平面図である。
【図８】上ケースの平断面図である。
【図９】スライダーと上ケースの説明図で、（ａ）は止水位置、（ｂ）は吐水管からの吐水位置，（ｃ）はシャワーヘッドからの吐水位置である。
【図１０】スライダーガイドと上ケースの説明図で、（ａ）は止水位置で、（ｂ）はシャワーヘッドからの吐水位置である。
【図１１】切替部材の説明図で、（ａ）は止水位置、（ｂ）は吐水管からの吐水位置、（ｃ）はシャワーヘッドからの吐水位置である。
【図１２】従来技術の説明図で、（ａ）は水栓の斜視図、（ｂ）は切替弁部の斜視図である。
【符号の説明】
５                      切替レバー
１１                    切替部材
１２                    固定板
１３                    湯水入口
１４                    吐水管用出口
１５                    シャワー用出口
１６                    可動板
１７                    連通孔
３０                    吐水管
３２                    シャワーヘッド
Ａ                      水栓
【図１】
0004675466.tif 000002
【図２】
0004675466.tif 000003
【図３】
0004675466.tif 000004
【図４】
0004675466.tif 000005
【図５】
0004675466.tif 000006
【図６】
0004675466.tif 000007
【図７】
0004675466.tif 000008
【図８】
0004675466.tif 000009
【図９】
0004675466.tif 000010
【図１０】
0004675466.tif 000011
【図１１】
0004675466.tif 000012
【図１２】
0004675466.tif 000013